(57)【要約】【課題】空気入れ具の排気口部と、風船の口部に取り付けた中空部材の間に介在させれば、空気入れ具で風船を膨らませた状態にしても、風船の口部が中空部材から抜けてしまうことがなく、また風船内部に空気を送り込み過ぎて、風船を破裂させてしまうことがない空気入れ継手を提供する。【解決手段】筒体１の先端に、中空部材１１の周側壁１１ａに嵌着した風船１２の口部１２ａを、この口部１２ａの外側から嵌合するようにした嵌合筒部１ａを設け、筒体１の後端に、吹込み口部１ｂを設けたものとしている。【選択図】        図９
2004194761.tif 000002
【特許請求の範囲】
【請求項１】
筒体（１）の先端に、中空部材（１１）の周側壁（１１ａ）に嵌着した風船（１２）の口部（１２ａ）を、この口部（１２ａ）の外側から嵌合するようにした嵌合筒部（１ａ）を設け、筒体（１）の後端に、吹込み口部（１ｂ）を設けたことを特徴とする風船用空気入れ継手。
【請求項２】
筒体（１）の先端に、中空部材（１１）の周側壁（１１ａ）に嵌着した風船（１２）の口部（１２ａ）を、この口部（１２ａ）の外側から嵌合するようにした嵌合筒部（１ａ）を設けると共に、前記口部（１２ａ）から風船（１２）の胴部（１２ｂ）寄りを被覆する被覆部（１ｃ）を設け、筒体（１）の後端に、吹込み口部（１ｂ）を設けたことを特徴とする風船用空気入れ継手。
【請求項３】
前記筒体（１）の先端と嵌合筒部（１ａ）の間に、中空部材（１１）を嵌合筒部（１ａ）から押し出すための押さえ部（１ｄ）を介設したことを特徴とする請求項１または２記載の風船用空気入れ継手。
【請求項４】
前記被覆部（１ｃ）を蛇腹状として伸縮したり撓むようにするようにしたことを特徴とする請求項２記載の風船用空気入れ継手。
【発明の詳細な説明】
【０００１】
【発明の属する技術分野】
この発明は、口部に中空部材を取り付けた風船を膨らませるのに使用する空気入れ継手に関するものである。
【０００２】
【従来の技術】
従来、口部に中空部材を取り付けた風船を主体としたものとして、例えば図１３、１４、図１５、１６に示したようなものが存在する。
【０００３】
図１３、１４に示したものは、縦長の風船２１を主体とし、その下部にある開口部２１ａに通気孔２２ａを備えた中空部材２２が装着されてなる飛行玩具としている。
【０００４】
そして、風船２１に空気をためて膨らませ、空中に放り出すことにより、風船２１にたまった空気が下方へ噴出され、飛行玩具は、空中を上昇して飛行するようにしている（特許文献１参照）。
【０００５】
図１５、１６に示したものは、上壁３１ａ及び下壁３１ｂに開口部３２が設けられた中空部材３１の周側壁３１ｃに、風船２１の口部２１ａを外嵌状態に嵌着した飛行ゴム風船としている。
【０００６】
風船２１内に空気を注入して膨らませた後、空中に手放すと下壁３１ｂの開口部３２より空気が外に噴出し、この噴出力が推進力となってゴム風船が略垂直方向に上昇していくのであるが、風船２１内に充填された空気が上壁開口部から下壁開口部に抜けていく際にその少なくとも一部が中空部材３１の中空空間内を還流することによってピーというような高い吹鳴音を発生し、この吹鳴し状態で空気中を飛行するものとしている（特許文献２参照）。
【０００７】
また、従来から風船を膨らませるための空気入れ具として、例えば図１７に示したようなエアポンプが存在する。
【０００８】
図１７に示したものは、天面部４１ａと底面部４１ｂを有し、胴部４１ｃをベローズ構造として中空成形された円筒状本体４１を伸縮操作することにより、天面部４１ａまたは底面部４１ｂなどの適宜個所に設けた吸気口部４２ａから外気を吸い込み、排気口部４２ｂから風船等に空気を送り込めるように構成したものとしている（特許文献３参照）。
【特許文献１】
登録実用新案第３０１８０５５号公報（第４頁）
特開２００１−２１８９８６号公報（第２頁左欄）
登録実用新案第３０８１６４９号公報（第６頁）
【０００９】
【発明が解決しようとする課題】
しかしながら、上記空気入れ具を用いて飛行玩具や飛行ゴム風船を膨らませるために、図１７に示した空気入れ具の排気口部４２ｂを、風船２１の口部２１ａに取り付けた中空部材２２、３１の開口部に嵌め込んで、円筒状本体４１を伸縮操作することにより風船２１内部に空気を送り込む。すると、風船２１が一杯に膨らんだ状態では、その空気圧によって、風船２１の口部２１ｂが中空部材２２、３１から抜けてしまって風船２１が外れてしまい、風船２１を膨らませることができないという問題点を有していた。
【００１０】
このような場合、風船２１の口部２１ａを手で押さえ、風船２１の口部２１ａが中空部材２２、３１から抜けないようにすればよいが、いちいち手で押さえるのは面倒であり、また知らず知らずのうちに手で押さえるのを忘れてしまう場合があり、風船２１が外れて飛んでいってしまってから気付いて、後で悔やむことがあるという問題点を有していた。
【００１１】
また、上記空気入れ具を用いて飛行玩具や飛行ゴム風船を膨らませると、風船２１内部に空気を送り込み過ぎて、風船２１を破裂させてしまうことがあるという問題点を有していた。
【００１２】
そこで、この発明は、上記従来の問題点を解決することをその課題としており、空気入れ具の排気口部と、風船の口部に取り付けた中空部材の間に介在させれば、空気入れ具で風船を膨らませた状態にしても、風船の口部が中空部材から抜けてしまうことがなく、また風船内部に空気を送り込み過ぎて、風船を破裂させてしまうことがない空気入れ継手を提供することを目的としてなされたものである。
【００１３】
【課題を解決するための手段】
そのため、この発明の風船用空気入れ継手は、筒体１の先端に、中空部材１１の周側壁１１ａに嵌着した風船１２の口部１２ａを、この口部１２ａの外側から嵌合するようにした嵌合筒部１ａを設け、筒体１の後端に、吹込み口部１ｂを設けたものとしている。
【００１４】
また、この発明の風船用空気入れ継手は、筒体１の先端に、中空部材１１の周側壁１１ａに嵌着した風船１２の口部１２ａを、この口部１２ａの外側から嵌合するようにした嵌合筒部１ａを設けると共に、前記口部１２ａから風船１２の胴部１２ｂ寄りを被覆する被覆部１ｃを設け、筒体１の後端に、吹込み口部１ｂを設けたものとしている。
【００１５】
そして、この発明の風船用空気入れ継手は、筒体１の先端と嵌合筒部１ａの間に、中空部材１１を嵌合筒部１ａから押し出すための押さえ部１ｄを介設したものとしている。
【００１６】
さらに、この発明の風船用空気入れ継手は、被覆部１ｃを蛇腹状として伸縮したり撓むようにしている。
【００１７】
【発明の実施の形態】
以下、この発明の風船用空気入れ継手の実施の形態について、図面に基づいて詳細に説明する。
【００１８】
この発明の風船用空気入れ継手は、図１、２に示したように、筒体１の先端に、中空部材１１の周側壁１１ａに嵌着した風船１２の口部１２ａを、この口部１２ａの外側から嵌合するようにした嵌合筒部１ａを設け、筒体１の後端に、吹込み口部１ｂを設けたものとしている。
【００１９】
さらに、この発明の風船用空気入れ継手は、図３、４に示したように、筒体１の先端に、中空部材１１の周側壁１１ａに嵌着した風船１２の口部１２ａを、この口部１２ａの外側から嵌合するようにした嵌合筒部１ａを設けると共に、前記口部１２ａから風船１２の胴部１２ｂ寄りを被覆する被覆部１ｃを設け、筒体１の後端に、吹込み口部１ｂを設けたものとしている。
【００２０】
筒体１は、合成樹脂成形体としており、嵌合筒部１ａ、吹込み口部１ｂ、被覆部１ｃを別体として成形してもよいが、これらを一体成形したものとするのが、組み立て作業等が不要となり、製造コスト面で好ましいものとなる。また、前記筒体１の嵌合筒部１ａと吹込み口部１ｂの中間部には、図２、４に示したものでは、蛇腹部２を形成したものとし、この筒体１が撓むようにして、使い易いものとしている。さらに、筒体１の先端には、前記嵌合筒部１ａを直接設けるのでなく、図示したように、筒体１の先端と嵌合筒部１ａの間に、中空部材１１を嵌合筒部１ａから押し出すための押さえ部１ｄを介設することもできる。
【００２１】
筒体１の嵌合筒部１ａは、筒体１の筒径より大きくした筒径を有しており、中空部材１１の周側壁１１ａが嵌合するようにしており、外周に内方に向けて環状凸部３を形成したものとしている。この嵌合筒部１ａに形成した環状凸部３は、中空部材１１の周側壁１１ａに嵌着した風船１２の口部１２ａを押し付けるようにしている。また、この嵌合筒部１ａは、指で押さえることにより弾性変形するものとしている。
【００２２】
筒体１の吹込み口部１ｂは、使用者の口を直に当てて風船１２に空気を吹き込むこともできるが、空気入れ具１３を使用する場合は、その空気入れ具１３の排気口部１４ａとの連結部となる。この場合、吹込み口部１ｂは、空気入れ具１３の排気口部１４ａより大径とした筒体としており、外周に外方に向けて環状凸部４を形成したものとしている。この環状凸部４は、吹込み口部１ｂの補強用に形成したものである。そして、この吹込み口部１ｂに、空気入れ具１３の排気口部１４ａを挿入することにより、両者を連結するようにしている。
【００２３】
筒体１の被覆部１ｃは、風船１２の胴部１２ｂが膨らむだけ膨らんだときの径より小径とした筒状としている。この筒体１の被覆部１ｃは、風船１２の胴部１２ｂがこの被覆部１ｃにおいて膨らむだけ膨らむのを制限するようにしている。そして、このような筒状とした被覆部１ｃは、図示したように、蛇腹状として伸縮したり撓むようにするのが好ましい。このようにすると、風船１２の胴部１２ｂを膨らむだけ膨らまそうとすると、被覆部１ｃの先端が風船１２の胴部１２ｂに押さえ付けられて徐々に収縮するので、風船１２の空気圧を緩和するとができる。
【００２４】
筒体１の押さえ部１ｄは、嵌合筒部１ａ寄りになるほど徐々に口径が大きくなるようにした略ラッパ形状としており、指で押さえることにより弾性変形するものとしている。したがって、この押さえ部１ｄを指で押さえることにより、押さえ部１ｄが偏平状に変形すると共に嵌合筒部１ａも偏平状に変形して、中空部材１１が嵌合筒部１ａからスムーズに押し出されるようにしている。
【００２５】
中空部材１１は、上壁１１ｂ及び下壁１１ｃに開口部１５が設けられ、前記周側壁１１ａに、風船１２の口部１２ａを外嵌状態に嵌着してものとしている。この周側壁１１ａには、二条の環状リブ１６が形成されており、これら環状リブ１６の間に風船１２の口部１２ａを外嵌状態に嵌着したものとしている。
【００２６】
風船１２は、図示したものは、縦長の円柱状とした胴部１２ｂの下部に、前記口部１２ａを設けたものとしているが、胴部１２ｂの形状は、球状、楕円球であってもよく、特に限定されることはない。
【００２７】
空気入れ具１３は、図示したものではエアポンプとしており、天面部１３ａと底面部１３ｂを有し、胴部１３ｃをベローズ構造として中空成形された円筒状本体を伸縮操作することにより、天面部１３ａまたは底面部１３ｂなどの適宜個所に設けた吸気口部１４ｂから外気を吸い込み、同様に天面部１３ａまたは底面部１３ｂなどの適宜個所に設けた排気口部１４ａから風船に空気を送り込めるように構成したものとしている。
【００２８】
したがって、この発明の風船用空気入れ継手は、図７に示したように、筒体１先端の嵌合筒部１ａに、中空部材１１の周側壁１１ａに嵌着した風船１２の口部１２ａを嵌合し、筒体１の後端の吹込み口部１ｂに、空気入れ具１３の排気口部１４ａを挿入することにより連結する。そして、空気入れ具１３の円筒状本体を伸縮操作することにより、排気口部１４ａから風船１２に空気を送り込み、図８に示したように、風船１２を膨らませる。
【００２９】
すると、図１、２に示したこの発明の風船用空気入れ継手では、図９、１０に示したように、風船１２が膨らむだけ膨らんだ状態になっても、風船１２の口部１２ａは嵌合筒部１ａに嵌合されているので、風船１２の口部１２ａが中空部材１１から抜けてしまうことはない。この状態で、風船１２の口部１２ａに嵌め込んだ中空部材１の付け根１から風船２の胴部２ｂ寄りを指で摘まんで、風船１２から空気が抜けないようにする。そして、嵌合筒部１ａを直に指で押さえ偏平状に変形させるか、押さえ部１ｄを押さえてこの押さえ部１ｄと共に嵌合筒部１ａを偏平状に変形させて、前記中空部材１をこの嵌合筒部１ａから押し出し、風船用空気入れ継手から風船１２を外すことができる。
【００３０】
また、図３、４に示したこの発明の風船用空気入れ継手では、図１１、１２に示したように、風船１２に口部１２ａから胴部１２ｂ寄りを被覆部１ａで被覆するので、風船１２が膨らむだけ膨らんだ状態になる前に、風船１２が膨らむのを制限されることになる。したがって、風船１２を膨らませ過ぎて、風船１２が破裂してしまうようなことはなくなる。なお、風船１２を外すときは、前記したように図１、２に示したこの発明の風船用空気入れ継手と同様に行えばよい。
【００３１】
【発明の効果】
この発明の風船用空気入れ継手は、以上に述べたように構成されているので、空気入れ具の排気口部と、風船の口部に取り付けた中空部材の間に介在させれば、空気入れ具で風船を膨らませた状態にしても、風船の口部が中空部材から抜けてしまうことがなく、また風船内部に空気を送り込み過ぎて、風船を破裂させてしまうことがないものとなった。
【図面の簡単な説明】
【図１】この発明の風船用空気入れ継手の第一実施形態を示す側面図である。
【図２】この発明の風船用空気入れ継手の第二実施形態を示す側面図である。
【図３】この発明の風船用空気入れ継手の第三実施形態を示す側面図である。
【図４】この発明の風船用空気入れ継手の第四実施形態を示す側面図である。
【図５】この発明の風船用空気入れ継手を使用して膨らます風船の一例の斜視図である。
【図６】図５中のＡ−Ａ線によるこの発明の風船用空気入れ継手を使用して膨らます風船の断面図である。
【図７】この発明の風船用空気入れ継手を使用して、空気入れ具で風船を膨らます前の状態を示す説明図である。
【図８】この発明の風船用空気入れ継手を使用して、空気入れ具で風船を膨らました状態を示す説明図である。
【図９】図１に示すこの発明の風船用空気入れ継手を使用して、空気入れ具で風船を膨らました状態を示す断面図である。
【図１０】図２に示すこの発明の風船用空気入れ継手を使用して、空気入れ具で風船を膨らました状態を示す断面図である。
【図１１】図３に示すこの発明の風船用空気入れ継手を使用して、空気入れ具で風船を膨らました状態を示す断面図である。
【図１２】図４に示すこの発明の風船用空気入れ継手を使用して、空気入れ具で風船を膨らました状態を示す断面図である。
【図１３】風船を主体とした従来の飛行玩具を示す分解斜視図である。
【図１４】図１３に示す飛行玩具の風船の口部に中空部材を取り付けた状態を示す斜視図である。
【図１５】風船を主体とした従来の飛行ゴム風船を示す側面図である。
【図１６】図１５中のＢ−Ｂ線による従来の飛行ゴム風船の断面図である。
【図１７】従来の空気入れ具を示す斜視図である。
【符号の説明】
１  筒体
１ａ  嵌合筒部
１ｂ  吹込み部
１ｃ  被覆部
１ｄ  押さえ部
２  蛇腹部
１１  中空部材
１１ａ  周側壁
１２  風船
１２ａ  口部
１２ｂ  胴部
【図１】
2004194761.tif 000003
【図２】
2004194761.tif 000004
【図３】
2004194761.tif 000005
【図４】
2004194761.tif 000006
【図５】
2004194761.tif 000007
【図６】
2004194761.tif 000008
【図７】
2004194761.tif 000009
【図８】
2004194761.tif 000010
【図９】
2004194761.tif 000011
【図１０】
2004194761.tif 000012
【図１１】
2004194761.tif 000013
【図１２】
2004194761.tif 000014
【図１３】
2004194761.tif 000015
【図１４】
2004194761.tif 000016
【図１５】
2004194761.tif 000017
【図１６】
2004194761.tif 000018
【図１７】
2004194761.tif 000019